(57)【要約】  【課題】収納食品の種類に応じて適切な貯蔵環境にするとともに、各貯蔵室の使い勝手を同時に向上した冷蔵庫を提供すること。  【解決手段】冷蔵庫本体２０を上下に区画する仕切壁２１、２２、２３により、上部区画２４、中部区画２５、下部区画２６に分割され、中部区画２５に引出し扉にて構成された製氷室３２、野菜室３４を横並びで配置することで、収納物を目的にあった適切な区画して収納することができるとともに、使用頻度の高い製氷室３２や野菜室３４から食品収納物を取り出す動作を楽な姿勢で行えるため、使い勝手の良さを提供することができる。【選択図】図１
2006234351.tif 000002
【特許請求の範囲】
【請求項１】
冷蔵庫本体は断熱箱体で構成され、冷蔵庫本体内を上下に区画する少なくとも２つ以上の仕切壁によって区画された各貯蔵室を有し、前記貯蔵室のうち、上下を前記仕切壁により挟まれた区画に製氷室と野菜室とを横並びで配置していることを特徴とする冷蔵庫。
【請求項２】
前記野菜室と前記製氷室のうち少なくとも前記野菜室は引出し扉で構成されていることを特徴とする請求項１に記載の冷蔵庫。
【請求項３】
前記製氷室の幅は、前記野菜室よりも小さいことを特徴とする請求項１または２に記載の冷蔵庫。
【請求項４】
前記野菜室の高さは、前記製氷室の高さよりも高くしたことを特徴とする請求項１から３のいずれか一項に記載の冷蔵庫。
【請求項５】
断熱箱体で形成された冷蔵庫本体内は前記左右に横断する仕切壁により、上部区画、中部区画、下部区画に分割され、上部区画に冷蔵室、中部区画に前記製氷室と前記野菜室を横並びに配置され、さらに下部区画に冷凍室を配置していることを特徴とする請求項１から４のいずれか一項に記載の冷蔵庫。
【請求項６】
前記冷凍室は、前記製氷室と前記野菜室を区画する上下方向に配置された仕切壁と同一線上で左右に分割されていることを特徴とする請求項５に記載の冷蔵庫。
【請求項７】
前記冷蔵室は、前記製氷室と前記野菜室を区画する上下方向に配置された仕切壁と同一線上で左右に分割されていることを特徴とする請求項５または６に記載の冷蔵庫。
【発明の詳細な説明】
【技術分野】
【０００１】
本発明は、冷蔵庫の各貯蔵室の配置に関するものである。
【背景技術】
【０００２】
従来、左右に分割された貯蔵室を区画している冷蔵庫において、特許文献１に参照するように、一方に野菜室、他方に冷凍室を配置されているものが提案されている。
【０００３】
図４、図５は特許文献１に記載された従来の冷蔵庫を示すものである。図４は従来の冷蔵庫の扉を閉じた状態の斜視図、図５は従来の冷蔵庫の扉を開けた状態の斜視図である。
【０００４】
図４、図５に示すように冷蔵庫本体１は上部に冷蔵室２を有し、下部に野菜室３と冷凍室４とが左右に並んで配置されている。上部の冷蔵室２は断熱材からなる仕切壁５により下部の野菜室３と冷凍室４と隔離されている。野菜室３と冷凍室４とは断熱材からなる仕切壁６によって隔離されている。
【０００５】
野菜室３は回転式扉７を開き、複数の収納容器３ａ、３ｂ、３ｃ、３ｄを引出せるようになっている。冷凍室４は更に断熱材からなる仕切壁８により上部と下部に仕切られ、上部に製氷室９を配置し、下部に回転式扉１０を開き、複数の収納容器４ａ、４ｂ、４ｃを引出せるようになっている。
【特許文献１】特開２００３−７５０５５号公報
【発明の開示】
【発明が解決しようとする課題】
【０００６】
しかしながら、上記従来の構成では、野菜室が最下部まで位置しているため、最下部に収納している食品を取り出す際には、腰をかがめたり、しゃがんだりする必要があるという課題を有していた。また、野菜室及び冷凍室に収納した食品を取り出す際に、少なくとも２つ以上の開閉方法の異なる扉を開ける必要があり、使い勝手が悪いという課題も有していた。
【０００７】
本発明は、上記従来の課題を解決するもので、収納食品の種類に応じて適切な貯蔵環境を提供するとともに、各貯蔵室の使い勝手を同時に改善した冷蔵庫を提供することを目的とする。
【課題を解決するための手段】
【０００８】
冷蔵庫本体は、断熱箱体で構成され、冷蔵庫本体を左右方向に横断する少なくとも２つ以上の仕切壁によって区画された各貯蔵室を有し、前記貯蔵室のうち、上下を仕切壁にはさまれた区画に製氷室と野菜室を横並びで配置していたものである。
【０００９】
これによって、重量の大きな野菜を立ち姿勢のままで出し入れでき、臭い移りの少ない独立した製氷室を氷が取り出しやすい位置に配置することが可能となる。
【発明の効果】
【００１０】
本発明の冷蔵庫は、冷蔵庫本体の中央付近に使用頻度の高い野菜室と製氷室を横並びで配置させることで、冷蔵庫に保存する食品のうち、比較的大きい野菜類を腰をかがめたり、しゃがんだりすることなく出し入れでき、氷に野菜の土、埃等が付着することを防ぐことができ、使い勝手を向上することができる。
【００１１】
また、独立した製氷室を冷蔵庫本体の中央付近に位置させることで、夏場に使用頻度が高い氷を立ったままの姿勢で楽に取り出しができるという使い勝手のよさを提供することができる。さらに他の部屋と独立させることで、冷凍収納物と氷の使い分けができ、臭い移りを防止したキレイな氷を提供するとともに、必要に応じた扉開閉により温度上昇の低減が図れ、省エネにも繋がる。
【発明を実施するための最良の形態】
【００１２】
請求項１に記載の発明は、冷蔵庫本体は断熱箱体で構成され、冷蔵庫本体内を上下に区画する少なくとも２つ以上の仕切壁によって区画された各貯蔵室を有し、前記貯蔵室のうち、上下を前記仕切壁により挟まれた区画に製氷室と野菜室を横並びで配置したものであり、冷蔵庫に保存する食品のうち、比較的大きい野菜類を腰をかがめたり、しゃがんだりすることなく出し入れでき、氷に野菜の土、埃等が付着することを防ぐことができる。また、製氷室の位置を冷蔵庫本体の中央付近に位置させることで、腰をかがめることなく楽な姿勢で取り出すことができとともに、他の部屋と独立させることで、冷凍収納物と氷の使い分けができ、臭い移りを防止したキレイな氷を提供するとともに、必要に応じた扉開閉により温度上昇の低減が図れ、省エネにも繋がる。
【００１３】
請求項２に記載の発明は、請求項１に記載の発明において、前記野菜室と前記製氷室のうち少なくとも前記野菜室は引出し扉で構成するものであり、日本人の標準的な女性（身長１５５ｃｍ）が、目線より低い位置に収納されている食品を手前まで引き出して庫内全体を見渡たせて取り出すことが可能となる。
【００１４】
請求項３に記載の発明は、請求項１または２に記載の発明において、前記製氷室の幅は、前記野菜室よりも小さいものであり、使用頻度及び収納物による適切な寸法に応じた前記野菜室と前記製氷室のレイアウトが実現でき、冷蔵庫全体としての使い勝手が高まる。
【００１５】
請求項４に記載の発明は、請求項１から３のいずれか一項に記載の発明において、前記野菜室の高さは、前記製氷室の高さよりも高くしたものであり、スイカ、キャベツ等の大きな野菜を収納するための前記野菜室と前記製氷室とを適切な容量に設定することができ、各貯蔵室容量を無駄なく効率的に設定することができる。
【００１６】
請求項５に記載の発明は、請求項１から４のいずれか一項に記載の発明において、断熱箱体で形成された冷蔵庫本体内は前記左右に横断する仕切壁により、上部区画、中部区画、下部区画に分割され、上部区画に冷蔵室、中部区画に前記製氷室と前記野菜室を横並びに配置され、さらに下部区画に冷凍室を配置したものであり、収納量や収納品種が多く使用頻度の最も高い冷蔵室内を使いやすい目線の高さに位置させ、逆に比較的使用頻度の低い冷凍温度帯の貯蔵室を下部に位置させることで、冷蔵庫全体の使い勝手のバランスがとれ、最適な各温度帯貯蔵室のレイアウト配置が可能となる。
【００１７】
請求項６に記載の発明は、請求項５に記載の発明において、前記冷凍室は、前記製氷室と前記野菜室を区画する上下方向に配置された仕切壁と同一線上で左右に分割するものであり、中部区画に配置された前記製氷室と前記野菜室の前面開口部を塞ぐ各断熱扉と下部区画に配置する左右の前記冷凍室開口部を塞ぐ各断熱扉を同一直線状に配置するものであり、冷蔵庫前面外観のデザイン性を向上することができる。また、幅の異なる左右冷凍室を設置することにより、収納食品の大きさや目的にあった区分収納が可能となる。さらに、区分収納による使い分けができ、必要に応じた扉開閉により温度上昇の低減が図れ、省エネにも繋がる。
【００１８】
請求項７に記載の発明は、請求項５または６に記載の発明において、前記冷蔵室は、前記製氷室と前記野菜室を区画する上下方向に配置された仕切壁と同一線上で左右に分割するものであり、冷蔵庫前面外観のデザイン性を向上することができる。また、幅の異なる左右冷蔵室を設置することにより、収納食品の大きさや目的にあった区分収納が可能となる。さらに、区分収納による使い分けができ、必要に応じた扉開閉により温度上昇の低減が図れ、省エネにも繋がる。
【００１９】
以下、本発明による冷蔵庫の実施の形態について、図面を参照しながら説明する。なお、この実施の形態によってこの発明が限定されるものではない。
【００２０】
（実施の形態１）
以下、本発明の実施の形態１を図面に基づいて説明する。図１は本発明の実施の形態１における冷蔵庫の正面図、図２は本発明の実施の形態１における冷蔵庫の扉を開けた状態の斜視図、図３は本発明の実施の形態１における冷蔵庫の断熱箱体の正面図である。
【００２１】
図１に示すように、２０は冷蔵庫本体であり、冷蔵庫本体２０は、上下に分割する仕切壁２１、２２および２３により上部区画２４と中部区画２５と下部区画２６に分割されている。上部区画２４は冷蔵室２７であり、その前面開口部は断熱扉２８、２９で構成されている。中部区画２５および下部区画２６は左右に分割する仕切壁３０により、左区画と右区画にそれぞれ分割され、中部左区画に引出し式扉３１を備えた製氷室３２、中部右区画に引出し式扉３３を備えた野菜室３４、下部区画２６にはそれぞれ引き出し式扉３５、３６を備えた左冷凍室３７、右冷凍室３８で構成されている。
【００２２】
中部区画２５の製氷室３２と野菜室３４は上辺を同一直線状とし、製氷室３２より野菜室３４の方が深く、すなわち仕切壁２２が仕切壁２３よりも上方に設けられている。
【００２３】
また、仕切壁３０より左に構成される製氷室３２と左冷凍室３７は、同仕切壁３０により右に構成される野菜室３４と右冷凍室３８よりも幅が小さく構成されている。
【００２４】
また、仕切壁３０を基準として、左冷蔵室扉２８、製氷室扉３１と左冷凍室扉３５は同じ幅で構成されている。
【００２５】
以上のように構成された冷蔵庫について、以下その動作について説明する。
【００２６】
冷蔵庫本体２０の上部区画２４を使用頻度の最も高い冷蔵室２７することで、立ち姿勢のまま食品収納をする割合を多くでき、使い勝手を向上することができる。
【００２７】
また、冷蔵庫本体２０の中部区画２５に使用頻度の高い製氷室３２と野菜室３４を横並びで配置し、引出し扉３１および３３を設けているため、立ち姿勢のままで収納容器３９および４０を手前まで引き出して上から覗き込んで出し入れができ、重い野菜（キャベツ、白菜、大根）なども腰をかがめることなくスムーズに出し入れできる。また、製氷室３２と野菜室３４の上辺を同一直線状にすることで、製氷室３２へ野菜の土や埃が侵入することを防止でき、清潔な氷を提供することができる。
【００２８】
また、製氷室３２を野菜室３４よりも幅を小さく、かつ高さを低くすることにより、野菜などの大きい収納物を貯蔵する野菜室３４と氷を生成、貯蔵する製氷室３２をそれぞれ適切な容量に設定することが可能となる。
【００２９】
なお、野菜室３４は、その側方及び下方を製氷室３２，左冷凍室３７，右冷凍室３８の各冷凍温度帯室に隣接した配置構成となることから、野菜室３４室内に直接冷気を導入する直接冷却する方式でなくても、冷凍温度帯室からの区画壁を介した熱収支バランスを利用して、野菜室３４に対する冷却量の一部または全部をまかなう間接冷却の方式を採用することができ、冷却ダクトの形成の簡素化や野菜室３４内の乾燥防止が図れるメリットもある。
【００３０】
また、冷凍温度帯の貯蔵室を左冷凍室３７と右冷凍室３８と分割したことにより、幅の違いを活かした使い分け収納ができるとともに、製氷室３２の高さを野菜室３４よりも低くすること、換言すれば、高さが低くてよい製氷室３２の横に大物野菜などを収納するために高さの必要な野菜室３４を配置することにより、左冷凍室３７の高さが右冷凍室３８の高さより高くなって二つの冷凍室の高さに有意差が生じ、高さを必要とする冷凍収納物の使い分け保存も可能になり利便性が高められる。
【００３１】
また、収納物の用途に応じて各貯蔵室をそれぞれ独立させることで、必要に応じた扉開閉が行われ、使用者の扉開閉時の負担が軽減され、さらに前面開口面積を細分化することで扉開時の温度上昇が低減される。
【００３２】
また、冷蔵庫本体２０の全高にわたって仕切壁３０より左側に配置される左冷蔵室扉２８、製氷室扉３１、左冷凍室扉３５をすべて同一幅としていることにより、使い分け収納ができるとともに、冷蔵庫外観のデザイン性も向上することができる。
【産業上の利用可能性】
【００３３】
以上のように、本発明にかかる冷蔵庫は、中部区画に製氷室と野菜室を横並びで配置し、上部区画に冷蔵室、下部区画に冷凍室を配置することで、冷蔵庫の使い勝手を向上させ、目的に応じた区分収納及び使用頻度に応じたレイアウト構成にすることが可能となるので、同様の貯蔵温度帯別に複数扉で構成する貯蔵室を有する冷凍冷蔵機器全般に適用できる。
【図面の簡単な説明】
【００３４】
【図１】本発明の実施の形態１における冷蔵庫の断熱箱体の正面図
【図２】本発明の実施の形態１における冷蔵庫の扉を開けた状態の斜視図
【図３】本発明の実施の形態１における冷蔵庫の断熱箱体の正面図
【図４】従来の冷蔵庫の扉を閉じた状態の斜視図
【図５】従来の冷蔵庫の扉を開けた状態の斜視図
【符号の説明】
【００３５】
２０  冷蔵庫本体
２１  仕切壁
２２  仕切壁
２３  仕切壁
２４  上部区画
２５  中部区画
２６  下部区画
２７  冷蔵室
３０  仕切壁
３２  製氷室
３３  引出し扉
３４  野菜室
【図１】
2006234351.tif 000003
【図２】
2006234351.tif 000004
【図３】
2006234351.tif 000005
【図４】
2006234351.tif 000006
【図５】
2006234351.tif 000007